(57)【要約】【課題】容器体Ａに装着キャップ11を嵌合させてオーバーキャップＤ付きのディスペンサーＢを装着した液体噴出容器であって、オーバーキャップが衝撃により外れるのを防止し、また、その着脱が容易である液体噴出容器を提案する。【解決手段】オーバーキャップ内面と、該オーバーキャップを嵌合する案内筒16外面とに、環状の第一係合突条33と、第一係合突条と係脱可能に係合する所定長さの第二係合突条17とを設け、また、これらの係合を強化するための固定用筒Ｃを装着キャップ外周に回動可能に設けた。固定用筒は内面に押圧用突部25を突設し、この押圧用突部が第一，第二各係合突条の係合部位を押圧する位置から非係合部位への回動が可能に設けた。【選択図】図１
2007297055.tif 000002
【特許請求の範囲】
【請求項１】
胴部２より口頸部３を起立させた容器体Ａと、口頸部３外周に嵌合させた装着キャップ11の上面より案内筒16を立設するとともに、案内筒16内より噴出ヘッド18を上方付勢状態で押し込み可能に突出させ、且つ、案内筒16外周に周壁31下端部を嵌合させて着脱自在にオーバーキャップＤを装着したディスペンサーＢとを備え、噴出ヘッド18を上下動させることにより容器体Ａ内の液を噴出ヘッド18の噴出口19から噴出する如く構成した液体噴出容器であって、案内筒16外面とオーバーキャップＤ内面とに、環状の第一係合突条33と、該第一係合突条33と係脱可能に係合し且つ周方向の一部を占める第二係合突条17とを設け、装着キャップ11外周に固定用筒Ｃを回動可能に設けるとともに、固定用筒Ｃ内面に突設した押圧用突部25が、第一係合突条33と第二係合突条17との係合位置のオーバーキャップ周壁31外面を押圧する位置から第一係合突条33と第二係合突条17との非係合位置への回動が可能に設けたことを特徴とする液体噴出容器。
【請求項２】
前記オーバーキャップＤの周壁31下端部をその上部より薄肉に形成し、該薄肉部31a 内面に前記第一係合突条33或いは第二係合突条17を突設してなる請求項１記載の液体噴出容器。
【請求項３】
前記案内筒16を、前記第一係合突条33と第二係合突条17の係合位置から非係合位置までの所定幅の回動が可能に構成してなる請求項１又は請求項２のいずれかに記載の液体噴出容器。
【請求項４】
前記第二係合突条17を等間隔に複数設けるとともに、前記押圧用突部25を等間隔所定位置に第二係合突条17と同数設けてなる請求項１乃至請求項３のいずれかに記載の液体噴出容器。
【請求項５】
前記固定用筒Ｃが、装着キャップ11外周に回動可能に嵌合した周壁部21と、周壁部21上端より内方へ延設したフランジ部22を介してオーバーキャップＤの周壁31下端部外周に回動可能に位置する押圧用筒部23とで構成し、押圧用筒部23内面に前記押圧用突部25を突設してなる請求項１乃至請求項４のいずれかに記載の液体噴出容器。
【請求項６】
前記第一係合突条33をオーバーキャップ周壁31内周に設けてなる請求項１乃至請求項５のいずれかに記載の液体噴出容器。
【発明の詳細な説明】
【技術分野】
【０００１】
本発明は液体噴出容器に関する。
【背景技術】
【０００２】
ポンプ上端部を被覆するオーバーキャップを着脱自在に装着してポンプ頂部への埃の付着等を確実に防止できる液体噴出容器が提案されている。（特許文献１参照）
【０００３】
この液体噴出容器は、胴部より口頸部を起立させた容器体と、上記口頸部に嵌合させた装着キャップの上面外周縁部より係止筒を立設するとともに、係止筒内より有頂筒状のカバーを有する噴出ヘッドを上方付勢状態で押し込み可能に突出させたポンプとを備え、噴出ヘッドを上下動させることにより容器体内の液を噴出ヘッドの噴出口から噴出する如く構成している。また、係止筒外周に周壁下端部を嵌合させて着脱自在にオーバーキャップを装着している。
【特許文献１】特開２００４−５９０９７
【発明の開示】
【発明が解決しようとする課題】
【０００４】
従来の液体噴出容器ではオーバーキャップの周壁内周と係止筒外周とに、突条相互の乗り越え係合などの係止手段を設けてオーバーキャップの上方への抜け出し防止を図っている。しかしながらこれらの係止手段では容器の落下等による衝撃で外れる虞があり、その場合噴出ヘッドが押されて液が漏出してしまう虞があった。
【０００５】
本発明は上記した点に鑑みてなされたもので、容器の落下程度の衝撃ではオーバーキャップが外れることがなく、しかも、オーバーキャップの着脱操作も極めて簡単に行える液体噴出容器を提案する。
【課題を解決するための手段】
【０００６】
本発明の液体噴出容器は、容器体にディスペンサーを装着した形態のもので、上端の噴出ヘッドを被覆してオーバーキャップを着脱可能に装着したタイプのものである。
【０００７】
ディスペンサーは、容器体口頸部外周に装着キャップを嵌合して容器体に装着し、装着キャップ上に立設した案内筒より噴出ヘッドを上方付勢状態で押し下げ可能に突出し、噴出ヘッドの上下動によりその噴出口より容器体内の液を噴出する如く構成し、また、噴出ヘッドを被覆して周壁下端部を案内筒外周に嵌合して着脱可能にオーバーキャップを装着した形態のものを対象とする。
【０００８】
本発明では、案内筒外面とオーバーキャップ内面とに、環状の第一係合突条と、該第一係合突条と係脱可能に係合し且つ周方向の一部を占める第二係合突条とを設けてオーバーキャップを案内筒に係止する如く構成している。第一係合突条はオーバーキャップの周壁内周面に設けても、案内筒外周面に設けても良く、それに対応して第二係合突条を案内筒外周面或いはオーバーキャップ周壁内周面に設ける。但し、第二係合突条をオーバーキャップ周壁内周面に設ける場合にはオーバーキャップの案内筒に対する位置決めが必要となるため、第二係合突条を案内筒外周面に設けると好ましい。第二係合突条の数は単数でも複数でもよいが、あらゆる方向からの衝撃に耐えるためには、等間隔に複数設けることが好ましい。また、第二係合突条の長さは、後述する押圧用突部との関係を満たす周方向の一部の長さであれば特に特定されないが、具体的には、その中心角が１０°から５０°程度が好ましく、第二係合突条の数を考慮して選択すれば良い。
【０００９】
本発明では第一係合突条と第二係合突条の係合強度を上げてオーバーキャップの衝撃による外れを防止する目的で固定用筒を設けている。固定用筒は、装着キャップ外周に回動可能に設けたもので、その内面に設けた押圧用突部により第一係合突条と第二係合突条との係合位置のオーバーキャップ周壁外面を押圧し、その係合強度を高める。また、固定用筒は回動させることにより第一係合突条と第二係合突条との非係合位置まで回動させることができる。第一係合突条と第二係合突条との係合はその一方が他方の下面に乗り越え係合する形態であるが、押圧用突部による押圧によりその係合が外れ難くなり、また、両者の係合によりオーバーキャップ周壁が微小に外方へ膨れる場合もそれを内方へ押し戻してより強固な係合を現出する。
【００１０】
上記課題を解決するための第１の手段として、以下の通り構成した。即ち、胴部２より口頸部３を起立させた容器体Ａと、口頸部３外周に嵌合させた装着キャップ11の上面より案内筒16を立設するとともに、案内筒16内より噴出ヘッド18を上方付勢状態で押し込み可能に突出させ、且つ、案内筒16外周に周壁31下端部を嵌合させて着脱自在にオーバーキャップＤを装着したディスペンサーＢとを備え、噴出ヘッド18を上下動させることにより容器体Ａ内の液を噴出ヘッド18の噴出口19から噴出する如く構成した液体噴出容器であって、案内筒16外面とオーバーキャップＤ内面とに、環状の第一係合突条33と、該第一係合突条33と係脱可能に係合し且つ周方向の一部を占める第二係合突条17とを設け、装着キャップ11外周に固定用筒Ｃを回動可能に設けるとともに、固定用筒Ｃ内面に突設した押圧用突部25が、第一係合突条33と第二係合突条17との係合位置のオーバーキャップ周壁31外面を押圧する位置から第一係合突条33と第二係合突条17との非係合位置への回動が可能に設けた。
【００１１】
第２の手段として、以下の通り構成した。即ち、前記オーバーキャップＤの周壁31下端部をその上部より薄肉に形成し、該薄肉部31a 内面に前記第一係合突条33或いは第二係合突条17を突設した。
【００１２】
第３の手段として、以下の通り構成した。即ち、前記第１の手段又は第２の手段に於いて、前記案内筒16を、前記第一係合突条33と第二係合突条17の係合位置から非係合位置までの所定幅の回動が可能に構成した。
【００１３】
第４の手段として、以下の通り構成した。即ち、前記第１の手段乃至第３の手段に於いて、前記第二係合突条17を等間隔に複数設けるとともに、前記押圧用突部25を等間隔所定位置に第二係合突条17と同数設けた。
【００１４】
第５の手段として、以下の通り構成した。即ち、前記第１の手段乃至第４の手段のいずれかの手段に於いて、前記固定用筒Ｃが、装着キャップ11外周に回動可能に嵌合した周壁部21と、周壁部21上端より内方へ延設したフランジ部22を介してオーバーキャップＤの周壁31下端部外周に回動可能に位置する押圧用筒部23とで構成し、押圧用筒部23内面に前記押圧用突部25を突設した。
【００１５】
第６の手段として、以下の通り構成した。即ち、前記第１の手段乃至第５の手段のいずれかの手段に於いて、前記第一係合突条33をオーバーキャップ周壁31内周に設けた。
【発明の効果】
【００１６】
本発明の液体噴出容器は、固定用筒Ｃの押圧用突部25の押圧によりオーバーキャップＤの第一係合突条33と第二係合突条17の係合をより強固にすることができ、衝撃でオーバーキャップＤが外れて液の漏出が生じるという不都合を防止することができる。また、オーバーキャップＤの着脱に際しても固定用筒Ｃを回動するという簡単な操作が加わるだけで行えるため、取り扱い操作も極めて簡単である。
【００１７】
前記オーバーキャップＤの周壁31下端部をその上部より薄肉に形成し、該薄肉部31a 内面に前記第一係合突条33或いは第二係合突条17を突設した場合には、第一係合突条33及び第二係合突条17の係脱をより容易に行える利点がある。尚、この場合、係合状態では押圧用突部25の押圧により確実に係合され、外れる虞は同様にない。
【００１８】
前記案内筒16を、前記第一係合突条33と第二係合突条17の係合位置から非係合位置までの所定幅の回動が可能に構成した場合には、両者の係合，非係合状態を迅速，確実に現出でき、オーバーキャップＤの着脱操作がより容易となる。
【００１９】
前記第二係合突条17を等間隔に複数設けるとともに、前記押圧用突部25を等間隔所定位置に第二係合突条17と同数設けた場合には、第一係合突条33と第二係合突条17の係合部位が周方向でバランス良く点在するため、あらゆる方向からの外力に均等に対応できる利点がある。
【００２０】
前記固定用筒Ｃが、装着キャップ11外周に回動可能に嵌合した周壁部21と、周壁部21上端より内方へ延設したフランジ部22を介してオーバーキャップＤの周壁31下端部外周に回動可能に位置する押圧用筒部23とで構成し、押圧用筒部23内面に前記押圧用突部25を突設した場合には、大径の周壁部21を掴んで固定用筒Ｃを回動することで、負荷が掛かる押圧用筒部23をより容易に回動させることができる。
【００２１】
前記第一係合突条33をオーバーキャップ周壁31内周に設けた場合には、オーバーキャップＤに方向性がなく、周方向どの位置からも案内筒16に装着できる利点がある。
【発明を実施するための最良の形態】
【００２２】
以下、本発明の実施例の形態を図面を参照して説明する。
【００２３】
図１乃至図３は本発明液体噴出容器の一例を示し、図中１は液体噴出容器を示す。該液体噴出容器１は、容器体Ａと、ディスペンサーＢと、固定用筒Ｃと、オーバーキャップＤとを備えている。
【００２４】
容器体Ａは合成樹脂により形成したもので、筒状の胴部２より口頸部３を起立して構成している。
【００２５】
ディスペンサーＢは主として合成樹脂を使用し、必要に応じて、金属，エラストマー等を併用して形成したもので、口頸部３外周に装着キャップ11を嵌合することにより容器体Ａに着脱可能に装着している。装着キャップ11の周壁12外周前後には周壁12を縦断し、所定の横幅を有する回動規制用の凹部13をそれぞれ凹設しており、各凹部13の両側端部にはそれぞれ係止用の第一縦突条14及び第二縦突条15を突設している。装着キャップ11の上面周縁部より上方へ、オーバーキャップＤを嵌合係止させるための案内筒16を起立している。案内筒16の外周は下部を大径な大外径部16a に、上部を小外径部16b にそれぞれ形成し、大外径部16a 外周の対向位置に一対の第二係合突条17を突設している。
【００２６】
また、案内筒16内より上方付勢状態で押し下げ可能に噴出ヘッド18を突出しており、該噴出ヘッド18を上下動させることにより、内蔵ポンプ機構の作用で容器体内の液を吸い上げて噴出ヘッド18の前面の噴出口19より噴出する如く構成している。内蔵ポンプ機構はこの種ディスペンサーに使用されている公知機構であり、例えば図示せずに説明すれば、容器体内に垂下したシリンダ内を摺動可能に嵌合させたピストンを下端部に連繋させたステムの上端に噴出ヘッドを嵌着した形態のもので、コイルスプリングにより前記ピストン，ステム，噴出ヘッド等で形成される作動部材を常時上方へ付勢させる。また、シリンダの下端部には吸い込み弁を、ステムの内部上部には吐出弁をそれぞれ設けている。
【００２７】
固定用筒Ｃは、装着キャップ11の外周に嵌合させた周壁部21の上端縁より装着キャップ11頂面上へフランジ部22を延設し、また、フランジ部22内周縁より上方へ押圧用筒部23を立設している。周壁部21の内周下端に周設した係止用突条24を装着キャップ11下面周縁部に係合させて上方への抜け出しを防止している。押圧用筒部23は案内筒16との間にオーバーキャップＤの下端部が嵌入できる隙間を設けて立設している。押圧用筒部23の内面の前後対向位置には押圧用突部25を突設している。押圧用突部25は押圧用筒部23の上下を縦断し、比較的長い横幅を備えた正面視四角形状をなしている。また、周壁部21内周の対向する所定位置には前記係止用の第一縦突条14及び第二縦突条15と係脱可能に係合する位置決め突条26をそれぞれ縦設している。各位置決め突条26が第一縦突条14にそれぞれ係止された図２の状態では、各押圧用突部25が第一係合突条33と第二係合突条17との係合位置外方に位置し、また、各位置決め突条26が第二縦突条15にそれぞれ係止された図３の状態では、各押圧用突部25が、第一係合突条33と第二係合突条17との非係合位置外方に位置する如く構成しており、この間の固定用筒Ｃの所定幅の回動が可能に構成している。
【００２８】
オーバーキャップＤは、周壁31上端縁より頂壁32を延設した下端開口の有頂筒状をなし、周壁31の内周下端部はその上部より薄肉に形成した薄肉部31a に形成して弾性変形が起こり易く構成し、該薄肉部31a 内周の対向する位置には前記各第二係合突条17と係合する環状の第一係合突条33を突周設している。
【００２９】
そして、位置決め突条26が第二縦突条15と係合した状態に固定用筒Ｃを位置させておき、その状態からオーバーキャップＤを上方より案内筒16外周に嵌合させると、第一係合突条33が各第二係合突条17を乗り越えてその下面へ係合する。次いで、固定用筒Ｃを、各位置決め突条26が第二縦突条15と係合する位置まで回動すると、図２に示す如く、各押圧用突部25が、第一係合突条33と第二係合突条17との係合位置外方に回動してオーバーキャップ周壁31を内方へ押し込み、両突条の係合をより強度の強いものとする。オーバーキャップＤを取り外す際には、図２の状態から、固定用筒Ｃを位置決め突条26が第一縦突条14と係合する位置まで回動すれば各押圧用突部25が各第一係合突条と第二係合突条との係合位置からずれて図３の状態となり、その後にオーバーキャップＤを上方へ引き抜けば比較的容易に第一係合突条33が各第二係合突条17との係合を解除して取り外すことができる。
【図面の簡単な説明】
【００３０】
【図１】本発明液体噴出容器の一部を切り欠いた側面図である。（実施例１）
【図２】本発明に於けるオーバーキャップ係合状態を説明する説明図である。（実施例１）
【図３】本発明に於けるオーバーキャップ係合状態を説明する説明図である。（実施例１）
【符号の説明】
【００３１】
１…液体噴出容器
Ａ…容器体
２…胴部，３…口頸部
Ｂ…ディスペンサー
11…装着キャップ，12…周壁，13…回動規制用の凹部，14…第一縦突条，
15…第二縦突条，16…案内筒，16a …大外径部，16b …小外径部，
17…第二係合突条，18…噴出ヘッド，19…噴出口
Ｃ…固定用筒
21…周壁部，22…フランジ部，23…押圧用筒部，24…係止用突条，
25…押圧用突部，26…位置決め突条
Ｄ…オーバーキャップ
31…周壁，31a …薄肉部，32…頂壁，33…第一係合突条
【図１】
2007297055.tif 000003
【図２】
2007297055.tif 000004
【図３】
2007297055.tif 000005